(57)【要約】【課題】熱交換器に接続される温水配管を、浴室暖房装置の性能劣化をきたしたり、送風の邪魔になったりしないように配管する。【解決手段】ケーシング６内には、熱交換器１０や循環ファン７等が納められている。このケーシング６の内面のうち、温風吹出し通路に面する箇所に配管用溝１８を凹設する。熱交換器１０に接続された温水配管９を配管用溝１８に納めることによって送風通路に温水配管９を配管させる。さらに、配管用溝１８内に納められた温水配管９を横切るようにしてケーシング６の内面に熱交換器取付板１７を固定する。【選択図】　　　図３
2004060895.tif 000002
【特許請求の範囲】
【請求項１】
浴室の空気を温水と熱交換させるための熱交換器と、熱交換器によって加熱された空気を浴室内に吹き出させるための循環ファンとをケーシングに納めた浴室暖房装置において、
前記ケーシングの内面に配管用の溝を凹設し、前記熱交換器に接続された温水配管を前記配管用の溝に納めたことを特徴とする浴室暖房装置。
【請求項２】
前記熱交換器を固定するための熱交換器取付板を前記ケーシングの内面に取付け、前記熱交換器取付板の背後で前記温水配管を前記配管用の溝内に配設したことを特徴とする、請求項１に記載の浴室暖房装置。
【請求項３】
前記配管用の溝は、ケーシング内面の、送風通路に面した位置に設けられていることを特徴とする、請求項１又は２に記載の浴室暖房装置。
【発明の詳細な説明】
【０００１】
【発明の属する技術分野】
本発明は、浴室暖房装置に関する。
【０００２】
【背景技術】
浴室暖房装置は、温水と空気の熱交換によって浴室の空気を加熱し、温風として吹き出させるための熱交換器を備えている。熱交換器に温水を循環させるための一対の温水配管は、一端を熱交換器に接続され、他端をケーシング外の外部接続位置まで導かれている。この温水配管は、通常は、送風通路を避けて配管されている。
【０００３】
しかし、最近では、施工性や外観などを考慮して浴室暖房装置のコンパクト化が図られている。浴室暖房装置のコンパクト化が進むと、ケーシング内の余分なスペースが少なくなってくるので、熱交換器に接続されている温水配管を送風通路を避けて配管することが困難になってきている。かといって、温水配管が送風通路内を横切ると、温風吹出し口から吹き出される温風が乱れて温風吹出しの性能が低下したり、風切り音を発生したりする問題が起きている。
【０００４】
本発明は上記従来例の問題点に鑑みてなされたものであり、その目的とするところは、熱交換器に接続される温水配管を、浴室暖房装置の性能劣化を来したり、送風の邪魔になったりしないように配管できるようにすることにある。
【０００５】
【発明の開示】
本発明にかかる浴室暖房装置は、浴室の空気を温水と熱交換させるための熱交換器と、熱交換器によって加熱された空気を浴室内に吹き出させるための循環ファンとをケーシングに納めた浴室暖房装置において、前記ケーシングの内面に配管用の溝を凹設し、前記熱交換器に接続された温水配管を前記配管用の溝に納めたことを特徴としている。
【０００６】
本発明にかかる浴室暖房装置にあっては、ケーシングの内面に凹設された配管用の溝に熱交換器の温水配管を納めているので、温水配管がケーシングの内面から飛び出さず、コンパクトで配管スペースの小さな温水暖房装置においても、温水配管の配管箇所の制約が少なくなる。
【０００７】
特に、温水配管を送風通路に面した位置に配管する場合でも、配管用の溝をケーシング内面の送風通路に面した位置に設けることにより、温水配管が送風通路内に飛び出して送風を妨げることがなくなる。よって、送風通路に沿って吹き出される風が乱れて性能が低下したり、風切り音が発生したりするのを防止することができる。
【０００８】
また、熱交換器を固定するための熱交換器取付板がケーシングの内面に取付けられている箇所を通過するように温水配管を配設する場合にも、熱交換器取付板の背後で温水配管が配管用の溝内に配設されるようにすれば、熱交換器取付板と温水配管とが干渉しにくく、温水配管の処理が容易になる。また、熱交換器取付板で温水配管を押えることにより、温水配管が配管用の溝から浮き上がるのを防止できる。
【０００９】
【発明の実施の形態】
図１（ａ）は本発明の一実施形態による天井取付け型の浴室暖房装置の構造を示す概略断面図、図１（ｂ）は図１（ａ）のＸ−Ｘ線断面図である。浴室暖房装置１は、装置本体２と化粧パネル３とから構成されている。装置本体２は天井裏へ納入され、吊りボルト（図示せず）等によって天井裏で吊り下げられる。装置本体２の下面に対向して開口された天井パネル４の開口５の下には、化粧パネル３が着脱自在に取付けられる。
【００１０】
装置本体２においては、下面開口した箱状のケーシング６内にクロスフローファンからなる循環ファン７が納められ、循環ファン７の回転軸には、循環ファンモータ８が接続されている。循環ファンモータ８は、その軸受け部分８ａを循環ファンモータ受け２０と仕切り板２４との間に挟み込まれて保持されている。また、循環ファン７のエア吸入側には２面の熱交換器１０が設置されており、循環ファン７のエア吹き出し側には温風吹出し通路１１が取付けられている。
【００１１】
化粧パネル３には、グリル状をした吸込口１２と吹出口１３とが設けられ、吸込口１２は循環ファン７のエア吸い込み側に対向するように配置され、吹出口１３には装置本体２の温風吹出し通路１１の下端が位置している。また、吸込口１２の上面には面状のフィルタ１４が配設されている。
【００１２】
しかして、循環ファンモータ８により循環ファン７を回転させると、化粧パネル３の吸込口１２から装置本体２内へ浴室内の空気が吸い込まれ、吸い込まれた空気は熱交換器１０を通過する。熱交換器１０には、熱源機（図示せず）で加熱された温水が循環しており、循環ファン７により吸い込まれた空気が熱交換器１０を通過すると、温水と熱交換することによって加熱される。加熱された温風は、循環ファン７によって送り出され、温風吹出し通路１１を通って吹出口１３から吹き出される。
【００１３】
よって、冬季の入浴時または入浴前においては、吹出口１３から例えば斜めに温風を吹き出させることによって、浴室内の暖房を行うことができる。また、吹出口１３の真下に衣類を吊り下げておき、吹出口１３から真下に向けて温風を吹き出させることにより、浴室内を衣類乾燥室として使用することができる。
【００１４】
図２は上記装置本体２の内部構造を示す下方から見た斜視図であり、図３は装置本体２から熱交換器１０や循環ファン７を除いた状態の下面図である。また、図４は図３のＹ−Ｙ線に相当する箇所の断面図である。ケーシング６内には換気通路部品３４により換気通路３５が形成されており、換気通路部品３４の端に接続するようにして換気装置１５が設けられている。なお、この換気通路部品３４は、前記ファンモータ受け２０と一体に成形されている。換気装置１５を運転すると、浴室内の湿気を含んだ空気を装置本体２の外部へ、さらには排気ダクトを通じて屋外へ強制的に排出することができる。
【００１５】
図２に示すように、熱交換器１０の上部には熱交換器取付板１７が設けられており、熱交換器取付板１７をケーシング６内の天面にビス止めすることに熱交換器１０がケーシング６に固定される。熱交換器１０に温水を循環させるための２本の温水配管９は、一方端部を熱交換器１０に接続されている。熱交換器１０に接続された温水配管９は、吸い込み側に位置する熱交換器１０に沿って上方へ延び、熱交換器取付板１７及び熱交換器１０の上面を超えて温風吹出し側へ延びている。この送風通路に沿って水平に延びている温水配管９の他端部はケーシング６内部の天面に沿っており、温水配管９の他端はケーシング６の開口からケーシング６外に露出している。図２で符号１６で示すものは温水弁である。
【００１６】
ケーシング６内部の天面は、循環ファン７によって送風される送風通路に面しているが、ケーシング６内部の天面には、図３及び図４に示すように、温水配管９の納まるような配管用溝１８が設けられている。
【００１７】
しかして、温水配管９のうち、上記のように熱交換器取付板１７及び熱交換器１０の上面を超えて温風吹出し側へ水平に延びている部分は、ケーシング６の内面から飛び出さないように配管用溝１８に納められ、温水配管９の端部は、配管用溝１８の端で開口（図示せず）を通ってケーシング６の外部に出ている。さらに、図４に示すように、温水配管９及び配管用溝１８と交差するようにして、熱交換器取付板１７をケーシング６の内面に取付けることにより、ケーシング６内に熱交換器１０を取付けることができると共に、熱交換器取付板１７によって温水配管９を押えて配管用溝１８から浮き上がらないようにしている。
【００１８】
この浴室暖房装置１にあっては、温水配管９が送風通路を通過するようにして配管されているので、温水配管９の配管長を短くでき、浴室暖房装置１のコンパクト化に寄与できる。しかも、温水配管９が送風通路を通過するように配管されているにもかかわらず、温水配管９は配管用溝１８内に納まっていてケーシング６内面から飛び出ていないので、温水配管９に風が当たって風の流れを乱したり、風量を損失したり、風切り音を発生したりといった不具合を解消できる。また、温水配管９が配管用溝１８内に納まっているので、熱交換器取付板１７と干渉する恐れもなく、温水配管９が熱交換器取付板１７を取付ける妨げになることもない。さらに、温水配管９がケーシング６内に埋まっているので、浴室暖房装置１のコンパクト化を図ることができる。
【００１９】
【発明の効果】
本発明の浴室暖房装置によれば、ケーシングの内面に凹設された配管用の溝に熱交換器の温水配管を納めているので、温水配管がケーシングの内面から飛び出さず、コンパクトで配管スペースの小さな温水暖房装置においても、温水配管の配管箇所の制約が少なくなる。
【００２０】
特に、温水配管を送風通路に面した位置に配管する場合でも、配管用の溝をケーシング内面の送風通路に面した位置に設けることにより、温水配管が送風通路内に飛び出して送風を妨げることがなくなる。よって、送風通路に沿って吹き出される風が乱れて性能が低下したり、風切り音が発生したりするのを防止することができる。よって、送風通路に配管することができ、配管長を短くして浴室暖房装置の小型化を図ることができる。
【００２１】
また、熱交換器を固定するための熱交換器取付板がケーシングの内面に取付けられている箇所を通過するように温水配管を配設する場合にも、熱交換器取付板の背後で温水配管が配管用の溝内に配設されるようにすれば、熱交換器取付板と温水配管とが干渉しにくく、温水配管の処理が容易になる。
【００２２】
さらに、温水配管がケーシング内に埋まり込むので、浴室暖房装置をより小型化することができる。
【図面の簡単な説明】
【図１】（ａ）は本発明の一実施形態による天井取付け型の浴室暖房装置の構造を示す概略断面図、（ｂ）は（ａ）のＸ−Ｘ線断面図である。
【図２】装置本体の内部構造を示す、下方から見た斜視図である。
【図３】熱交換器や循環ファンを除いた状態の、装置本体の下面図である。
【図４】図３のＹ−Ｙ線に相当する箇所の概略断面図である。
【符号の説明】
２　装置本体
６　ケーシング
７　循環ファン
９　温水配管
１０　熱交換器
１１　温風吹き出し通路
１３　吹出口
１７　熱交換器取付板
１８　配管用溝
【図１】
2004060895.tif 000003
【図２】
2004060895.tif 000004
【図３】
2004060895.tif 000005
【図４】
2004060895.tif 000006